(57)【要約】【課題】片手で握って使用することができるワンハンド・リップスティック容器を提供する。【解決手段】本発明は、ワンハンド・リップスティック容器に係り、ボディーの中央に円柱が立てられており、前記円柱の中心を貫通する中央貫通孔を形成する容器本体と、前記容器本体の上部に回転可能な状態で結合され、上面の開口した入口を形成する容器カバーと、前記容器カバーの内部で容器本体の円柱の外径と螺合され、容器カバーの回転力を受けて垂直方向に昇降作動するカバーホルダーと、前記カバーホルダーの上端を開閉できるようにヒンジ結合され、カバーホルダーの下降時に通路が開放され、昇降時に通路が閉鎖される開閉ドアと、前記カバーホルダーの内部で容器本体の中央貫通孔の内径と螺合され、カバーホルダーの回転力を受けて垂直方向に昇降作動するが、カバーホルダーの昇降方向と逆方向に昇降作動するリップスティック収容部と、前記リップスティック収容部にカバーホルダーの回転力を伝達するとともに、リップスティック収容部がカバーホルダーの昇降方向と逆方向に昇降作動するように垂直ガイドする回転防止手段と、を備えることを特徴とする。【選択図】図１
2013505053.tif 000002
【特許請求の範囲】
【請求項１】
リップスティック容器において、
ボディー（１１１）の中央に円柱（１１３）が立てられており、前記円柱（１１３）の中心を貫通する中央貫通孔（１１５）を形成する容器本体（１１０）と、
前記容器本体（１１０）の上部に回転可能な状態で結合され、上面の開口した入口（１２１）を形成する容器カバー（１２０）と、
前記容器カバー（１２０）の内部で容器本体（１１０）の円柱（１１３）の外径と螺合され、容器カバー（１２０）の回転力を受けて垂直方向に昇降作動するカバーホルダー（１３０）と、
前記カバーホルダー（１３０）の上端を開閉できるようにヒンジ結合され、カバーホルダー（１３０）の下降時に通路が開放され、昇降時に通路が閉鎖される開閉ドア（１４０）と、
前記カバーホルダー（１３０）の内部で容器本体（１１０）の中央貫通孔（１１５）の内径と螺合され、カバーホルダー（１３０）の回転力を受けて垂直方向に昇降作動するが、カバーホルダー（１３０）の昇降方向と逆方向に昇降作動するリップスティック収容部（１５０）と、
前記リップスティック収容部（１５０）にカバーホルダー（１３０）の回転力を伝達するとともに、リップスティック収容部（１５０）がカバーホルダー（１３０）の昇降方向と逆方向に昇降作動するように垂直ガイドする回転防止手段（１６０）と、を備えることを特徴とするワンハンド・リップスティック容器。
【請求項２】
前記容器本体（１１０）の中央貫通孔（１１５）は、円柱（１１３）での内径とボディー（１１１）での内径とが合致する一体型の貫通孔として形成され、前記中央貫通孔（１１５）の内面に内径部螺旋状ガイド溝（１１６）が形成されることを特徴とする請求項１に記載のワンハンド・リップスティック容器。
【請求項３】
前記中央貫通孔（１１５）内にはリップスティックが収容された状態で昇降するリップスティック収容部（１５０）を設けるが、前記リップスティック収容部（１５０）は、円筒状の収容体（１５１）が形成され、前記収容体（１５１）の側面に内径部螺旋状ガイド溝（１１６）に結合されるガイド突起（１５３）が突設されることを特徴とする請求項２に記載のワンハンド・リップスティック容器。
【請求項４】
前記リップスティック収容部（１５０）と中央貫通孔（１１５）との間には、リップスティック収容部（１５０）が中央貫通孔（１１５）とともに回転することを防止し、容器カバー（１２０）とともに回転させる回転防止手段（１６０）を設けるが、前記回転防止手段（１６０）は管体（１６１）を備え、管体（１６１）の上端にカバーホルダー（１３０）の内面と結合されて回転力を受ける固定端（１６３）が形成され、前記管体（１６１）の側面の垂直方向にリップスティック収容部（１５０）に形成されたガイド突起（１５３）が貫通した状態で垂直方向への移動がガイドされるスライド溝（１６５）が形成されることを特徴とする請求項３に記載のワンハンド・リップスティック容器。
【請求項５】
前記容器本体（１１０）の中央貫通孔（１１５）は、円柱（１１３）の内径が広く、ボディー（１１１）の内径が狭い上下部の２段の中央貫通孔（１１５）として形成され、前記ボディー（１１１）の下部の中央貫通孔（１１５）の内面には内径部螺旋状ガイド溝（１１６）が形成されることを特徴とする請求項１に記載のワンハンド・リップスティック容器。
【請求項６】
前記中央貫通孔（１１５）内にはリップスティックが収容された状態で昇降するリップスティック収容部（１５０）を設けるが、前記リップスティック収容部（１５０）は、円柱（１１３）の上部の中央貫通孔（１１５）内に挿入される円筒状の収容体（１５１）が形成され、前記収容体（１５１）の底面に延長されて、ボディー（１１１）の下部の中央貫通孔（１１５）に結合されるスライド柱（１５２）が形成され、前記スライド柱（１５２）の端部の縁部には内径部螺旋状ガイド溝（１１６）に結合されるガイド突起（１５３）が突設されることを特徴とする請求項５に記載のワンハンド・リップスティック容器。
【請求項７】
前記リップスティック収容部（１５０）の上端の縁部に、リップスティック収容部（１５０）が中央貫通孔（１１５）とともに回転することを防止し、容器カバー（１２０）とともに回転させる回転防止手段（１６０）を設けることを特徴とする請求項６に記載のワンハンド・リップスティック容器。
【請求項８】
前記回転防止手段（１６０）は、リップスティック収容部（１５０）の管体（１６１）の上端の縁部に突出するようにスライド突起（１５５）が形成され、前記スライド突起（１５５）が結合されて垂直方向にガイドされる突起案内溝がカバーホルダー（１３０）の内面に形成されることを特徴とする請求項７に記載のワンハンド・リップスティック容器。
【請求項９】
前記回転防止手段（１６０）は、リップスティック収容部（１５０）の上面にカバーホルダー（１３０）の内面と接触する面またはカバーホルダー（１３０）と結合される突出物が存在して、リップスティック収容部（１５０）を垂直方向には移動させるが、回転方向にはスリップさせないことを特徴とする請求項１ないし請求項８のうちいずれか１項に記載のワンハンド・リップスティック容器。
【請求項１０】
前記容器本体（１１０）の内径に形成される、スクリュー方向と逆方向に回転する外径部螺旋状ガイド溝（１１４）が円柱（１１３）の外径に形成されることを特徴とする請求項１ないし請求項８のうちいずれか１項に記載のワンハンド・リップスティック容器。
【請求項１１】
前記容器本体（１１０）の円柱（１１３）の外径に形成される外径部螺旋状ガイド溝（１１４）のピッチが不規則であることを特徴とする請求項１ないし請求項８のうちいずれか１項に記載のワンハンド・リップスティック容器。
【請求項１２】
前記カバーホルダー（１３０）と開閉ドア（１４０）が軟質または薄いプラスチックで連結されることを特徴とする請求項１ないし請求項８のうちいずれか１項に記載のワンハンド・リップスティック容器。
【請求項１３】
前記カバーホルダー（１３０）と開閉ドア（１４０）を二重射出して形成することを特徴とする請求項１ないし請求項８のうちいずれか１項に記載のワンハンド・リップスティック容器。
【請求項１４】
前記開閉ドア（１４０）の上面に、容器カバー（１２０）の入口（１２１）の形状に対応する形状を有する突出物が形成されることを特徴とする請求項１ないし請求項８のうちいずれか１項に記載のワンハンド・リップスティック容器。
【請求項１５】
前記開閉ドア（１４０）は１つ以上の領域に分割され、前記分割されたそれぞれの開閉ドア（１４０）はカバーホルダー（１３０）に連結され、容器カバー（１２０）の入口（１２１）を同時に開放または密閉することを特徴とする請求項１ないし請求項８のうちいずれか１項に記載のワンハンド・リップスティック容器。
【請求項１６】
前記容器本体（１１０）に形成される円柱（１１３）の外径にガイド突起が形成され、前記ガイド突起が螺合される螺旋状のガイド溝がカバーホルダー（１３０）の内面に形成されることを特徴とする請求項１ないし請求項８のうちいずれか１項に記載のワンハンド・リップスティック容器。
【請求項１７】
容器本体（１１０）の高さと容器カバー（１２０）の高さが類似しているか、または容器本体（１１０）が容器カバー（１２０）よりやや高いことを特徴とする請求項１ないし請求項８のうちいずれか１項に記載のワンハンド・リップスティック容器。
【請求項１８】
前記容器本体（１１０）と容器カバー（１２０）の外側の形状は、Ｎ個の直線または曲線状の面からなり、Ｎは３ないし無限の数字であり、無限に属する形状は円形であることを特徴とする請求項１ないし請求項８のうちいずれか１項に記載のワンハンド・リップスティック容器。
【請求項１９】
前記容器カバー（１２０）の内部に開閉ドア（１４０）が開放されるとき、開閉ドア（１４０）の上端をガイドするドア案内溝（１２３）が形成されることを特徴とする請求項１ないし請求項８のうちいずれか１項に記載のワンハンド・リップスティック容器。
【請求項２０】
前記容器カバー（１２０）の上部に形成される入口（１２１）の形状がリップスティックの断面の形状と異なることを特徴とする請求項１ないし請求項８のうちいずれか１項に記載のワンハンド・リップスティック容器。
【請求項２１】
前記開閉ドア（１４０）の上面が曲率を形成することを特徴とする請求項１ないし請求項８のうちいずれか１項に記載のワンハンド・リップスティック容器。
【請求項２２】
前記容器本体（１１０）及び容器カバー（１２０）を合成樹脂、金属、またはセラミックスで製造することを特徴とする請求項１ないし請求項８のうちいずれか１項に記載のワンハンド・リップスティック容器。
【請求項２３】
前記上部の中央貫通孔（１１５）内径に螺旋状のガイド溝が形成され、前記リップスティック収容部（１５０）との間には、螺旋状のガイド溝に沿って昇降するシリンダー部材（１７０）が設けられ、前記シリンダー部材（１７０）の内部で垂直方向に昇降するリップスティック収容部（１５０）を設けるが、前記シリンダー部材（１７０）が中央貫通孔（１１５）の最上部に１次昇降して容器カバー（１２０）の入口（１２１）に突出した後、リップスティック収容部（１５０）がシリンダー部材（１７０）の上部に２次昇降してリップスティックが突出することを特徴とする請求項６に記載のワンハンド・リップスティック容器。
【請求項２４】
前記外径部螺旋状ガイド溝（１１４）の下部面または上部面がテーパー状に形成され、カバーホルダー（１３０）が左右の何れか一方向に回転するとき、それ以上回転することができず、負荷がかかれば、外径部螺旋状ガイド溝（１１４）に螺合されたガイド突起がテーパー方向に外径部螺旋状ガイド溝（１１４）を離脱して、円柱（１１３）の外面をスリップ移動することを特徴とする請求項１ないし請求項８のうちいずれか１項に記載のワンハンド・リップスティック容器。
【請求項２５】
前記容器本体（１１０）の上部の中央貫通孔（１１５）の内径に螺旋状のガイド溝が形成され、前記螺旋状のガイド溝とカバーホルダー（１３０）とが螺合されて昇降作動することを特徴とする請求項５に記載のワンハンド・リップスティック容器。
【請求項２６】
前記リップスティック収容部（１５０）と中央貫通孔（１１５）との間には、リップスティック収容部（１５０）が中央貫通孔（１１５）とともに回転することを防止し、容器カバー（１２０）とともに回転させる回転防止手段（１６０）を設けるが、前記回転防止手段（１６０）は、リップスティック収容部（１５０）と中央貫通孔（１１５）との間に挿入される管体（１６１）が形成され、前記管体（１６１）の上端で拡管されて容器カバー（１２０）と結合される固定端（１６３）が形成され、前記固定端（１６３）の一側壁を垂直方向に切開してカバーホルダー（１３０）を結合する昇降ガイド部（１６４）が形成され、前記管体（１６１）の側面の垂直方向にリップスティック収容部（１５０）に形成されたガイド突起（１５３）が貫通した状態で垂直方向への移動がガイドされるスライド溝（１６５）が形成されることを特徴とする請求項３に記載のワンハンド・リップスティック容器。
【請求項２７】
前記固定端（１６３）の昇降ガイド部（１６４）に結合されるカバーホルダー（１３０）は、板状の本体が形成され、前記本体の下端の内壁には容器本体（１１０）の円柱（１１３）に形成された外径部螺旋状ガイド溝（１１４）と結合される外径部回転結合突起（１３１）が内側へ突設され、前記本体の上端に開閉ドア（１４０）の一端がヒンジ結合されることを特徴とする請求項２６に記載のワンハンド・リップスティック容器。
【請求項２８】
前記カバーホルダー（１３０）が昇降ガイド部（１６４）に沿って垂直方向に昇降するとき、前記カバーホルダー（１３０）の上端にヒンジ結合された開閉ドア（１４０）を連動させるが、前記開閉ドア（１４０）は、カバーホルダー（１３０）の下降時に容器カバー（１２０）の入口（１２１）を開放させ、カバーホルダー（１３０）の昇降時に容器カバー（１３０）の入口（１２１）を遮断させる動線を有するドア案内溝（１６２）が固定端（１６３）の内壁に形成されることを特徴とする請求項２７に記載のワンハンド・リップスティック容器。
【請求項２９】
前記カバーホルダー（１３０）と開閉ドア（１４０）とのヒンジ結合部に常に閉鎖可能な状態を維持させるスプリング部材が挿入され、カバーホルダー（１３０）の下降時に開閉ドア（１４０）の下側の表面と回転防止手段（１６０）の固定端（１６３）の表面が干渉される状態で開放されることを特徴とする請求項２８に記載のワンハンド・リップスティック容器。
【請求項３０】
前記リップスティック収容部（１５０）の外側の同心円上にシリンダー部材（１７０）が管結合され、前記シリンダー部材（１７０）とリップスティック収容部（１５０）の下端がそれぞれ円柱（１１３）の内径部螺旋状ガイド溝（１１６）と螺合されるが、前記シリンダー部材（１７０）は、リップスティック収容部（１５０）より上部の位置で螺合されて、容器カバー（１２０）の回転時にリップスティック収容部（１５０）に先立って昇降して先に昇降することが制限され、その後、リップスティック収容部（１５０）は昇降し続けて、上部の先端をシリンダー部材（１７０）の上部の先端の上側に突出させることを特徴とする請求項２６に記載のワンハンド・リップスティック容器。
【請求項３１】
前記円柱（１１３）の内径に形成される内径部螺旋状ガイド溝（１１６）は、ピッチが不規則であり、高さの変化のない水平区間を有することを特徴とする請求項３０に記載のワンハンド・リップスティック容器。
【請求項３２】
前記開閉ドア（１４０）は、薄いプラスチックで形成され、ガイドの形状に沿って曲がりつつ容器カバー（１２０）の入口（１２１）を開閉することを特徴とする請求項１に記載のワンハンド・リップスティック容器。
【発明の詳細な説明】
【技術分野】
【０００１】
本発明は、リップスティック容器に係り、さらに詳細には、片手で握って使用することができるワンハンド・リップスティック容器に関する。
【背景技術】
【０００２】
一般的に、リップスティックは、ほとんどすべての女性の必需品である。女性たちは、リップスティックを家庭で塗って出かける場合が多いが、外で塗る場合も多い。したがって、リップスティックは高い携帯性や使いやすさを備える必要がある。
【０００３】
このようなリップスティック容器は、容器本体と容器カバーが分離される構造を有するため、ユーザが片手では容器カバーを握り、他の手を利用してリップスティックを使用するという不便さがあった。
【０００４】
現在、知られているリップスティック容器の構造について説明すれば次の通りである。
【０００５】
まず、容器本体に垂直溝を有する円柱を立て、容器本体の内部にリップスティックホルダーが挿入され、容器本体に備えられる円柱の外径部を取り囲む外容器、及びカバーからなるリップスティック容器が広く知られている。
【０００６】
前記の従来技術のリップスティック容器は、リップスティックを収容する容器に突出部がないため、外観が美麗であり、回転動作を利用するため高級な感じを与え、組み立てられる部品の数が少ないため、生産コストや時間を節減することができるという利点を有するが、キャップを開けて容器の下部を回すために両手を使用せねばならないという不便さがあった。
【０００７】
また、従来のリップスティック容器は、リップスティックが完全に容器の中へ入っていない状態でカバーを閉じれば、リップスティックがつぶされてしまい、使用が困難となるという問題があった。
【０００８】
したがって、リップスティック容器の携帯性や便利性を高めるために、片手で使用可能なリップスティック容器に関する開発が試みられてきた。
【０００９】
前記目的を有する従来技術として、容器本体を回転させて作動し、キャップを使用しないリップスティック容器は次の通りである。
【００１０】
まず、容器の上部を塞ぐ役割を行うプレートを使用し、このプレートを開ける装置を容器に構成したリップスティック容器が知られている（米国特許第６０５６４６５号明細書）。しかし、前記従来技術は、プレートが穴を開けるとき、プレートが容器の外部に残っているため、外観が悪いという問題点があった。
【００１１】
さらに、プレートが容器の内部に収納される従来技術が知られているが、これらは、プレートの一部が容器の外部に突出して、外観が悪いか、（米国特許第５４２３６２２号明細書、米国特許第２３８６４１７号明細書、米国特許第５９７９４６８号明細書、米国特許第２４８６０７３号明細書、米国特許第３６１７１３８号明細書、米国特許第３６１２０７２号明細書）、またはプレートが柔軟な物質から製造されて、安定性が低下するか（米国特許第２６４４５７７号明細書、米国特許第５８９０８２６号明細書、米国特許第５９０４４３１号明細書）、部品の数が多すぎて、量産及び組立てに問題があり、組み立てられる部品の数が多いため、組立工程で不良品が発生する確率が高いという問題があった（米国特許第５１７１０９６号明細書）。
【００１２】
そして、容器本体の外部に取っ手のような突出物を使用して作動する従来技術が知られている（米国特許第２５１３８３０号明細書、米国特許第  ４９７３１７８号明細書）。このような従来技術は、ユーザが既存に使用していた方式ではない新しい方法を使用するため、消費者が拒否感や不便さを感じることがあり、回転方法が提供する高級さがないという問題点があった。
【発明の概要】
【発明が解決しようとする課題】
【００１３】
前記従来技術の問題点を解決するためになされた本発明の目的は、片手で容易に操作して使用することができるワンハンド・リップスティック容器を提供するところにある。
【００１４】
本発明の他の目的は、すべての部品を容器カバーと容器本体の内部に組み立てて、これらの部品を外部に突出させないことによって、リップスティック容器の外観を高級にデザインことができるワンハンド・リップスティック容器を提供するところにある。
【００１５】
本発明のさらに他の目的は、既存のリップスティックと同様に、容器の本体を回転させて使用することができるワンハンド・リップスティック容器を提供するところにある。
【００１６】
本発明のさらに他の目的は、リップスティック容器を片手で握ったまますべての動作を行うように、容器の本体の高さを最適化させて製作することができるワンハンド・リップスティック容器を提供するところにある。
【課題を解決するための手段】
【００１７】
前記本発明の目的を達成するためのワンハンド・リップスティック容器は、ボディーの中央に円柱が立てられており、前記円柱の中心を貫通してボディーの底部まで延長される中央貫通孔を形成する容器本体と、前記容器本体の上部に回転可能な状態で結合され、上面の開口した入口を形成する容器カバーと、前記容器カバーの内部で容器本体の円柱の外径と螺合され、容器カバーの回転力を受けて垂直方向に昇降作動するカバーホルダーと、前記カバーホルダーの上端を開閉できるようにヒンジ結合され、カバーホルダーの下降時に通路が開放され、昇降時に通路が閉鎖される開閉ドアと、前記カバーホルダーの内部で容器本体の中央貫通孔の内径と螺合され、カバーホルダーの回転力を受けて垂直方向に昇降作動するが、カバーホルダーの昇降方向と逆方向に昇降作動するリップスティック収容部と、前記リップスティック収容部にカバーホルダーの回転力を伝達するとともに、リップスティック収容部がカバーホルダーの昇降方向と逆方向に昇降作動するように垂直ガイドする回転防止手段と、を備えることを特徴とする。
【００１８】
ここで、前記容器本体の中央貫通孔は、円柱での内径とボディーでの内径とが合致する一体型の貫通孔として形成され、前記中央貫通孔の内面に内径部螺旋状ガイド溝が形成されることを特徴とする。
【００１９】
そして、前記中央貫通孔内にはリップスティックが収容された状態で昇降するリップスティック収容部を設けるが、前記リップスティック収容部は、円筒状の収容体が形成され、前記収容体の側面に内径部螺旋状ガイド溝に結合されるガイド突起が突設されることを特徴とする。
【００２０】
また、前記リップスティック収容部と中央貫通孔との間には、リップスティック収容部が中央貫通孔とともに回転することを防止し、容器カバーとともに回転させる回転防止手段を設けるが、前記回転防止手段は管体を備え、管体の上端にカバーホルダーの内面と結合されて回転力を受ける固定端が形成され、前記管体の側面の垂直方向にリップスティック収容部に形成されたガイド突起が貫通した状態で垂直方向への移動がガイドされるスライド溝が形成されることを特徴とする。
【００２１】
そして、前記容器本体の中央貫通孔は、円柱の内径が広く、ボディーの内径が狭い上下部の２段の中央貫通孔として形成され、前記ボディーの下部の中央貫通孔の内面には内径部螺旋状ガイド溝が形成されることを特徴とする。
【００２２】
また、前記中央貫通孔内にはリップスティックが収容された状態で昇降するリップスティック収容部を設けるが、前記リップスティック収容部は、円柱の上部の中央貫通孔内に挿入される円筒状の収容体が形成され、前記収容体の底面に延長されて、ボディーの下部の中央貫通孔に結合されるスライド柱が形成され、前記スライド柱の端部の縁部には内径部螺旋状ガイド溝に結合されるガイド突起が突設されることを特徴とする。
【００２３】
そして、前記リップスティック収容部の上端の縁部に、リップスティック収容部が中央貫通孔とともに回転することを防止し、容器カバーとともに回転させる回転防止手段を設けることを特徴とする。
【００２４】
また、前記回転防止手段は、リップスティック収容部の管体の上端の縁部に突出するようにスライド突起が形成され、前記スライド突起が結合されて垂直方向にガイドされる突起案内溝がカバーホルダーの内面に形成されることを特徴とする。
【００２５】
そして、前記回転防止手段は、リップスティック収容部の上面にカバーホルダーの内面と接触する面またはカバーホルダーと結合される突出物が存在して、リップスティック収容部を垂直方向には移動させるが、回転方向にはスリップさせないことを特徴とする。
【００２６】
また、前記容器本体の内径に形成される、スクリュー方向と逆方向に回転する外径部螺旋状ガイド溝が円柱の外径に形成されることを特徴とする。
【００２７】
そして、前記容器本体の円柱の外径に形成される外径部螺旋状ガイド溝のピッチが不規則であることを特徴とする。
【００２８】
また、前記カバーホルダーと開閉ドアが軟質または薄いプラスチックで連結されることを特徴とする。
【００２９】
そして、前記カバーホルダーと開閉ドアを二重射出して形成することを特徴とする。
【００３０】
また、前記開閉ドアの上面に、容器カバーの入口の形状に対応する形状を有する突出物が形成されることを特徴とする。
【００３１】
そして、前記開閉ドアは１つ以上の領域に分割され、前記分割されたそれぞれの開閉ドアはカバーホルダーに連結され、容器カバーの入口を同時に開放または密閉することを特徴とする。
【００３２】
また、前記容器本体に形成される円柱の外径にガイド突起が形成され、前記ガイド突起が螺合される螺旋状のガイド溝がカバーホルダーの内面に形成されることを特徴とする。
【００３３】
そして、容器本体の高さと容器カバーの高さが類似しているか、または容器本体が容器カバーよりやや高いことを特徴とする。
【００３４】
また、前記容器本体と容器カバーの外側の形状は、Ｎ個の直線または曲線状の面からなり、Ｎは３ないし無限の数字であり、無限に属する形状は円形であることを特徴とする。
【００３５】
そして、前記容器カバーの内部に開閉ドアが開放されるとき、開閉ドアの上端をガイドするドア案内溝（１２３）が形成されることを特徴とする。
【００３６】
また、前記容器カバーの上部に形成される入口の形状がリップスティックの断面の形状と異なることを特徴とする。
【００３７】
そして、前記開閉ドアの上面が曲率を形成することを特徴とする。
【００３８】
そして、前記リップスティック収容部と中央貫通孔との間には、リップスティック収容部が中央貫通孔とともに回転することを防止し、容器カバーとともに回転させる回転防止手段を設けるが、前記回転防止手段は、リップスティック収容部と中央貫通孔との間に挿入される管体が形成され、前記管体の上端で拡管されて容器カバーと結合される固定端が形成され、前記固定端の一側壁を垂直方向に切開してカバーホルダーを結合する昇降ガイド部が形成され、前記管体の側面の垂直方向にリップスティック収容部に形成されたガイド突起が貫通した状態で垂直方向への移動がガイドされるスライド溝が形成されることを特徴とする。
【００３９】
また、前記固定端の昇降ガイド部に結合されるカバーホルダーは、板状の本体が形成され、前記本体の下端の内壁には容器本体の円柱に形成された外径部螺旋状ガイド溝と結合される外径部回転結合突起が内側へ突設され、前記本体の上端に開閉ドアの一端がヒンジ結合されることを特徴とする。
【００４０】
また、前記カバーホルダーが昇降ガイド部に沿って垂直方向に昇降するとき、前記カバーホルダーの上端にヒンジ結合された開閉ドアを連動させるが、前記開閉ドアは、カバーホルダーの下降時に容器カバーの入口を開放させ、カバーホルダーの昇降時に容器カバーの入口を遮断させる動線を有するドア案内溝が固定端の内壁に形成されることを特徴とする。
【００４１】
また、前記カバーホルダーと開閉ドアとのヒンジ結合部に常に閉鎖可能な状態を維持させるスプリング部材が挿入され、カバーホルダーの下降時に開閉ドアの下側の表面と回転防止手段の固定端の表面が干渉される状態で開放されることを特徴とする。
【００４２】
また、前記リップスティック収容部の外側の同心円上にシリンダー部材が管結合され、前記シリンダー部材とリップスティック収容部の下端がそれぞれ円柱の内径部螺旋状ガイド溝と螺合されるが、前記シリンダー部材は、リップスティック収容部より上部の位置で螺合されて、容器カバーの回転時にリップスティック収容部に先立って昇降して先に昇降することが制限され、その後、リップスティック収容部は昇降し続けて、上部の先端をシリンダー部材の上部の先端の上側に突出させることを特徴とする。
【００４３】
また、前記円柱の内径に形成される内径部螺旋状ガイド溝は、ピッチが不規則であり、高さの変化のない水平区間を有することを特徴とする。
【００４４】
また、前記開閉ドアは、薄いプラスチックで形成され、ガイドの形状に沿って曲がりつつ容器カバーの入口を開閉することを特徴とする。
【発明の効果】
【００４５】
前記のような構成を有する本発明は、片手でリップスティック容器を使用することにより、使用が簡単であり、美感に優れている。
【００４６】
また、本発明は、すべての部品が容器カバーと容器の本体の内部に組み立てられており、これらの部品が外部に突出しないため、リップスティック容器の外観を高級なデザインに製作することができ、既存のリップスティックと同様に、容器の本体を回転させて使用することにより、ユーザが拒否感を感じずに親しく使用することができる。
【００４７】
また、本発明は、リップスティック容器を片手で握ったまますべての動作を行うように、容器の本体の高さを最適化させて製作することにより、容器の本体を手の平が取り囲み、容器カバーは指を利用して容易に回転操作することができるため、使用が便利である。
【００４８】
また、本発明は、リップスティック容器を構成する容器本体及び容器カバーを高強度の合成樹脂、金属、またはセラミックスで製造することが可能であるが、アルミニウムなどの金属材質を利用して製作する場合、特有の金属光沢及び材質感による製品の高級化が可能であり、部品の厚さを薄く形成することができるため、製品の全体的なサイズを小さく製作することが可能であり、製品のイメージにさらに洗練味を与えることができる。
【図面の簡単な説明】
【００４９】
【図１】本発明の一実施形態によるワンハンド・リップスティック容器の斜視図である。
【図２】本発明の一実施形態によるワンハンド・リップスティック容器の分解斜視図である。
【図３】本発明の一実施形態によるワンハンド・リップスティック容器の分解断面図である。
【図４】本発明の一実施形態によるワンハンド・リップスティック容器の使用前の結合断面図である。
【図５】本発明の一実施形態によるワンハンド・リップスティック容器の使用状態を示す結合断面図である。
【図６】本発明のカバーホルダー及び開閉ドアの変形例を示す斜視図である。
【図７】本発明のカバーホルダー及び開閉ドアの変形例を示す斜視図である。
【図８】本発明のカバーホルダー及び開閉ドアの変形例を示す斜視図である。
【図９】本発明のカバーホルダー及び開閉ドアを一体に射出成形した例を示す断面図である。
【図１０】本発明の容器カバー及び開閉ドアの上面をドーム状に製作した例を示す結合断面図である。
【図１１】本発明の容器本体の外径部螺旋状ガイド溝のピッチを異なって形成する例を示す正面図である。
【図１２】本発明の他の実施形態によるワンハンド・リップスティック容器の容器本体の構造を示す斜視図である。
【図１３】本発明の他の実施形態による容器本体とリップスティック収容部との結合状態を示す分解図である。
【図１４】本発明の他の実施形態によるリップスティック収容部の上端にスライド突起を形成し、スライド突起と結合する突起案内溝をカバーホルダーの内壁に形成して回転を防止する例を示す分解斜視図である。
【図１５】本発明の他の実施形態によるリップスティック収容部の上端に四角形の枠を形成し、カバーホルダーと結合させて回転を防止する例を示す分解斜視図である。
【図１６】本発明の他の実施形態によるリップスティック収容部が回転防止手段内に挿入された例を示す断面図である。
【図１７】本発明の他の実施形態による容器本体の円柱の外径にスクリュー突起を形成し、カバーホルダーの内面にスクリュー案内溝が形成された結合状態を示す分解斜視図である。
【図１８】本発明の他の実施形態による容器本体とリップスティック収容部との間にシリンダー部材を設けた例を示す結合断面図である。
【図１９】本発明のワンハンド・リップスティック容器の容器カバーの変形実施例を示す斜視図である。
【図２０】本発明のワンハンド・リップスティック容器の容器カバーの変形実施例を示す斜視図である。
【図２１】本発明のワンハンド・リップスティック容器の容器カバーの変形実施例を示す斜視図である。
【図２２】本発明のワンハンド・リップスティック容器の容器カバーの変形実施例を示す斜視図である。
【図２３】本発明のさらに他の実施形態によるワンハンド・リップスティック容器の分解斜視図である。
【発明を実施するための形態】
【００５０】
以下、本発明の好ましい実施形態について、添付図面を参照して詳細に説明すれば次の通りである。
【実施例】
【００５１】
図１は本発明の一実施形態によるワンハンド・リップスティック容器の斜視図であり、図２は本発明の一実施形態によるワンハンド・リップスティック容器の分解斜視図であり、図３は本発明の一実施形態によるワンハンド・リップスティック容器の分解断面図であり、図４は本発明の一実施形態によるワンハンド・リップスティック容器の使用前の結合断面図であり、図５は本発明の一実施形態によるワンハンド・リップスティック容器の使用状態を示す結合断面図である。
【００５２】
図１ないし図５に示す本発明の一実施形態によるワンハンド・リップスティック容器は、容器本体１１０、容器カバー１２０、カバーホルダー１３０、開閉ドア１４０、リップスティック収容部１５０、及び回転防止手段１６０を備える。
【００５３】
前記本発明のワンハンド・リップスティック容器を構成するそれぞれの部品についてさらに詳細に説明すれば次の通りである。
【００５４】
まず、前記容器本体１１０について、図１ないし図５を参照して説明する。
【００５５】
前記容器本体１１０は、ボディー１１１の中央に円柱１１３が立てられており、前記円柱１１３の中心を貫通する中央貫通孔１１５が形成されている。
【００５６】
このとき、前記ボディー１１１の形状は四角形に形成されているが、これに限定されるものではなく、円形または多角形などの多様な形状に変更することが可能である。
【００５７】
そして、円柱１１３は、図２及び図３に示すように、外径部螺旋状ガイド溝１１４を形成しているが、前記外径部螺旋状ガイド溝１１４は、カバーホルダー１３０が螺合されて回転昇降することを案内する。
【００５８】
そして、前記中央貫通孔１１５は、ボディー１１１の底部まで連結されており、内径部螺旋状ガイド溝１１６を形成しているが、前記内径部螺旋状ガイド溝１１６は、後述するリップスティック収容部１５０が螺合されて回転昇降することを案内する。
【００５９】
このとき、前記容器本体１１０の中央貫通孔１１５は、円柱１１３の上端からボディー１１１の底部まで内径が合致する一体型の貫通孔として形成されている。
【００６０】
次いで、前記容器カバー１２０について、図１ないし図５を参照して説明する。
【００６１】
前記容器カバー１２０は、容器本体１１０の上部に回転可能な状態で結合し、上面の開口した入口１２１を形成している。
【００６２】
前記入口１２１は、容器本体１１０に結合して昇降作動するリップスティック収容部１５０に収容されたリップスティックを外部に突出させるが、このような入口１２１は、図２及び図３に示すカバーホルダー１３０及び開閉ドア１４０が容器カバー１２０の内部に結合した状態で昇降しつつ開放または密閉操作される。
【００６３】
前記容器カバー１２０の内壁には、カバーホルダー１３０の昇降に連動する開閉ドア１４０の上端開閉経路を案内するドア案内溝１２３が形成されている。
【００６４】
このとき、前記容器カバー１２０の形状を四角形にしているが、これに限定されるものではなく、円形または多角形のような多様な形状に変更することが可能である。
【００６５】
次いで、前記カバーホルダー１３０について、図２ないし図５を参照して説明する。
【００６６】
前記カバーホルダー１３０は、容器カバー１２０の内部に結合して昇降するが、このとき、カバーホルダー１３０と容器カバー１２０は互いに回転せず、垂直方向にのみ摺動可能に結合する。
【００６７】
これは、互いに摺動を案内するレール構造を設けることも可能であるが、図２及び図３に示すように、内部の形状（図面では四角形として示されている）を同一に製作して相互回転が防止される一方、垂直方向への移動が自由に行われるようにすることができる。
【００６８】
一方、前記カバーホルダー１３０は、容器本体１１０の円柱１１３の外径を取り囲んだ状態で螺合が行われるが、そのために、前記カバーホルダー１３０の内壁には円柱１１３に形成された外径部螺旋状ガイド溝１１４と結合する外径部回転結合突起１３１が内側に突設されている。
【００６９】
このようなカバーホルダー１３０は、容器カバー１２０の回転時に回転力を受けて同時に回転し、この際の回転力を利用して外径部螺旋状ガイド溝１１４に乗って垂直方向に昇降作動する。
【００７０】
次いで、前記開閉ドア１４０について、図３ないし図５を参照して説明する。
【００７１】
前記開閉ドア１４０は、カバーホルダー１３０の上部を開閉可能に結合しているが、一端がカバーホルダー１３０の一辺にヒンジ結合し、他端が容器カバー１２０の内側壁に形成したドア案内溝１２３に突起結合している。
【００７２】
このとき、前記開閉ドア１４０は、カバーホルダー１３０の下降時に、カバーホルダー１３０側にヒンジ結合した一端が同時に下降し、これに連動して、他端がドア案内溝１２３の開放経路に沿って移動しつつ、容器カバー１２０の入口１２１を開放させる。
【００７３】
このとき、入口１２１を完全に開放させれば、開閉ドア１４０は垂直方向に立てられて、下降が停止し、これはカバーホルダー１３０の下降の最後の時点と合致する。
【００７４】
逆に、カバーホルダー１３０を昇降させれば、開閉ドア１４０はドア案内溝１２３の密閉経路に沿って移動して、容器カバー１２０の入口１２１を閉じる。
【００７５】
このようなカバーホルダー１３０の昇降は、容器カバー１２０の回転力を受けて行われる。
【００７６】
図６ないし図８は、本発明のカバーホルダー及び開閉ドアの変形例を示す斜視図である。
【００７７】
図６ないし図８に示す本発明の開閉ドア１４０は、一つ以上の領域に分割され、前記分割されたそれぞれの開閉ドア１４０は、カバーホルダー１３０側に連結され、容器カバー１２０の入口１２１を同時に開放または密閉させることが可能である。
【００７８】
すなわち、図６及び図７に示すように、開閉ドア１４０の形状を引き戸タイプに形成するか、または対角線の方向に分割された四つの開閉ドアを同時に形成することが可能である。
【００７９】
また、図８に示すように、開閉ドア１４０の形状をニ分割された２つの引き戸タイプに形成することが可能である。このとき、前記複数のドアに分割される開閉ドア１４０は、境界線を直線、曲線またはこれらの組合わせを利用して多様な形状を有するように形成することも可能である。（図８では、太極紋様を示す）
【００８０】
前記のように、開閉ドア１４０を複数のドアに分割して作動させれば、開閉ドア１４０の高さが縮小し、その分開閉ドア１４０の開閉動線を短く設計可能になって、製品をさらにコンパクトにデザインすることが可能である。
【００８１】
図９は、本発明のカバーホルダー及び開閉ドアを一体に射出成形した例を示す断面図であって、図９に示す本発明のカバーホルダー１３０と開閉ドア１４０を、ヒンジピンを結合させずに、連結部を軟質または薄いプラスチックで射出して一体に成形製作することも可能である。
【００８２】
また、前記カバーホルダー１３０と開閉ドア１４０を二重射出して形成することも可能であるが、これは、外部に突出する開閉ドア１４０の材質を異にするか、または色を異にすることにより、独特の美感を与えることができる。
【００８３】
このような二重射出方法は、前記複数の開閉ドア１４０を同時に形成する場合、それぞれのドアを相異なる色で表現することが可能である。
【００８４】
そして、前記開閉ドア１４０の上面には、図２に示すように、容器カバー１２０の入口１２１の形状と合致する形状を有する突出物を形成することができるが、前記突出物は、容器カバー１２０の入口１２１と同一面を有するように形成したり、入口１２１より上方に突出させることが可能である。
【００８５】
そして、前記開閉ドア１４０の表面には陰刻パターンまたは浮き彫りパターンを利用して多様な紋様を形成することも可能である。
【００８６】
図１０は、本発明の容器カバー及び開閉ドアの上面をドーム状に製作した例を示す結合断面図であって、図２０に示すように、開閉ドア１４０の上面がドーム状の曲率をなすように形成することが可能である。このとき、容器カバー１２０の上面も、ドーム状の曲率を有するように製作することが可能である。これは、ユーザをして製品の柔らかいイメージを強調させることができる利点を有する。
【００８７】
このとき、開閉ドア１４０は、射出成形及びヒンジピン結合によるヒンジ構成の両方が適用されることができる。
【００８８】
次いで、前記リップスティック収容部１５０について、図２ないし図５を参照して詳細に説明する。
【００８９】
前記リップスティック収容部１５０は、容器本体１１０の中央貫通孔１１５に形成された内径部螺旋状ガイド溝１１６と螺合されて昇降作動するようになっているが、リップスティックが収納される円筒状の収容体１５１が備えられており、前記収容体１５１の外径には内径部螺旋状ガイド溝１１６と螺合されるためのガイド突起１５３が突設されている。
【００９０】
このようなリップスティック収容部１５０は、回転防止手段１６０を介してカバーホルダー１３０と連動して回転動作が行われ、回転方向によって垂直方向に昇降作動する。
【００９１】
このとき、重要なことは、内径部螺旋状ガイド溝１１６と外径部螺旋状ガイド溝１１４の螺旋方向を逆になるように形成することである。
【００９２】
これは、カバーホルダー１３０の昇降作動とリップスティック収容部１５０の昇降作動を逆に行うためのことである。
【００９３】
すなわち、本発明のワンハンド・リップスティック容器は、カバーホルダー１３０が下降しつつ開閉ドア１４０を開けて容器カバー１２０の入口１２１を開放させれば、これと同時にリップスティック収容部１５０が昇降しつつ容器カバー１２０の入口１２１の外側にリップスティックを突出させる。
【００９４】
次いで、前記回転防止手段１６０について、図２ないし図５を参照して詳細に説明する。
【００９５】
前記回転防止手段１６０は、中央貫通孔１１５内に設けられたリップスティック収容部１５０にカバーホルダー１３０の回転力を伝達すると同時に、リップスティック収容部１５０がカバーホルダー１３０と逆方向に昇降するようにガイドする役割を行う。
【００９６】
前記回転防止手段１６０は、リップスティック収容部１５０と中央貫通孔１１５との間に設けられる管体１６１と、前記管体１６１の上端でカバーホルダー１３０と連結される固定端１６３と、前記管体１６１の側面の垂直方向に長く切開されたスライド溝１６５とからなる。
【００９７】
前記固定端１６３は、四角形の枠状に製作されることができる。
【００９８】
一方、前記スライド溝１６５は、リップスティック収容部１５０のガイド突起１５３が貫通して、内径部螺旋状ガイド溝１１６と螺合されるようにしているが、カバーホルダー１３０の回転力を伝達される回転防止手段１６０が回転すれば、回転力をガイド突起１５３を介してリップスティック収容部１５０に伝達されるようにする。
【００９９】
前記リップスティック収容部１５０は、内径部螺旋状ガイド溝１１６に沿ってカバーホルダー１３０と逆方向に、回転防止手段１６０のスライド溝１６５に沿って垂直方向に昇降ガイドされる。
【０１００】
以下、図４及び図５を参照して、本発明の一実施形態によるワンハンド・リップスティック容器の作用について説明する。
【０１０１】
図４は、容器カバー１２０の入口１２１が開閉ドア１４０によって密閉された状態であり、リップスティック収容部１５０は、容器本体１１０の底部に下降した状態を示す。
【０１０２】
まず、ユーザは、図４に示す容器本体１１０を片手で握った状態で、指を利用して容器カバー１２０を回転させる。
【０１０３】
このとき、容器本体１１０とともにカバーホルダー１３０が回転し、前記カバーホルダー１３０は、円柱１１３に形成された外径部螺旋状ガイド溝１１４に乗って回転しつつ下降する。
【０１０４】
図５に示すように、カバーホルダー１３０は、容器カバー１２０の内壁に沿って垂直下降し、下降時にカバーホルダー１３０にヒンジ結合された開閉ドア１４０の一端が同時に下降し、これに連動して他端がドア案内溝１２３の開放経路に沿って移動しつつ容器カバー１２０の入口１２１を開放させる。
【０１０５】
このとき、入口１２１を完全に開放させれば、開閉ドア１４０は垂直方向に立てられて下降が停止し、これはカバーホルダー１３０の下降の最後の時点と合致する。
【０１０６】
ここで、前記カバーホルダー１３０が下降するとともにリップスティック収容部１５０が昇降するが、前記リップスティック収容部１５０は回転防止手段１６０を介してカバーホルダー１３０と連動して回転動作が行われ、それにより内径部螺旋状ガイド溝１１６に沿って昇降が行われる。
【０１０７】
このとき、前記回転防止手段１６０とカバーホルダー１３０は、相互の回転が防止される一方、垂直方向の摺動が自由な状態で結合されている。
【０１０８】
すなわち、カバーホルダー１３０は、回転防止手段１６０に回転力を伝達すると同時に、下降動作が可能になる。
【０１０９】
前記回転防止手段１６０から回転力を受けるリップスティック収容部１５０は、内径部螺旋状ガイド溝１１６に沿ってカバーホルダー１３０と逆方向に、回転防止手段１６０のスライド溝１６５に沿って垂直方向に昇降して、リップスティックを容器カバー１２０の入口１２１に突出させる。
【０１１０】
前記のような本発明は、容器本体１１０の内径に形成される、スクリュー方向と逆方向に回転する外径部螺旋状ガイド溝１１４が円柱１１３の外径に形成されることを特徴とする。
【０１１１】
これは、内径部螺旋状ガイド溝１１６に乗ってリップスティック収容部１５０が上昇するとき、開閉ドア１４０が円柱１１３の外径部螺旋状ガイド溝１１４に乗って下降しつつ開閉ドア１４０を開放させて、容器カバー１２０の入口１２１を通じてリップスティックを突出させる動作が同時に行われるようにするためである。
【０１１２】
したがって、本発明は、前記容器本体１１０の円柱１１３の外径に形成される外径部螺旋状ガイド溝１１４のピッチを、図１１に示すように不規則に形成することができるが、例えば、全体の区間のうち、上部区間のピッチを広く形成し、相対的に下部区間のピッチを狭く形成することが可能である。
【０１１３】
図１１は、本発明の容器本体の外径部螺旋状ガイド溝のピッチを異なって形成する例を示す正面図である。
【０１１４】
図１１に示すように、外径部螺旋状ガイド溝１１４のピッチを不規則に形成したことは、カバーホルダー１３０の下降区間がリップスティック収容部１５０の上昇区間に比べて相対的に短いためであり、外径部螺旋状ガイド溝１１４の上部区間では迅速に下降して容器カバー１２０の入口１２１を先に開放させた後、下部区間では徐々に下降するようにピッチ間隔を狭めることにより、リップスティック収容部１５０が最大の高さに上昇する間に回転動作を持続させるためのことである。
【０１１５】
また、本発明は、前記とは逆に、内径部螺旋状ガイド溝１１６のピッチを不均一に形成することも可能であるが、これは、リップスティック収容部が下部区間では開閉ドア１４０の開放される時点を待ってゆっくり昇降するようにピッチを狭く形成し、開閉ドア１４０が開放された後は迅速に昇降するようにピッチを広く形成することが可能である。
【０１１６】
また、本発明は、図示していないが、外径部螺旋状ガイド溝１１４のピッチを不規則に形成する代わりに、外径部螺旋状ガイド溝１１４の下部面または上部面をテーパー状に形成することも可能である。
【０１１７】
このように、外径部螺旋状ガイド溝１１４の下部面または上部面をテーパー状に形成すれば、カバーホルダー１３０が左右の何れかの方向に回転するとき、それ以上回転することができず、負荷がかかる瞬間に、外径部螺旋状ガイド溝１１４に螺合されたガイド突起がテーパー方向に外径部螺旋状ガイド溝１１４を離脱して、円柱１１３の外面をスリップ移動することが可能になる。
【０１１８】
これは、一種の空回転条件が提供されるものであって、リップスティック収容部１５０の最大の昇降時点までカバーホルダー１３０を空回転させることである。
【０１１９】
このとき、カバーホルダー１３０を逆方向に回転させれば、ガイド突起が外径部螺旋状ガイド溝１１４の内部に進入し、テーパードされていない反対面にガイドされて昇降作動する。
【０１２０】
もちろん、前記カバーホルダー１３０の最大の昇降時点においてもガイド突起が回転方向に外径部螺旋状ガイド溝１１４を離脱させて、リップスティック収容部１５０の最大下降時点まで空回転させることができる。
【０１２１】
以下、図１２ないし図１６を参照して、本発明の他の実施形態によるワンハンド・リップスティック容器について説明する。
【０１２２】
図１２は、本発明の他の実施形態によるワンハンド・リップスティック容器の本体の構造を示す斜視図であって、図１２に示す本発明の他の実施形態によるワンハンド・リップスティック容器において、容器本体１１０の中央貫通孔１１５は、円柱１１３の内径が広く、ボディー１１１の内径が狭い上下部の２段の中央貫通孔１１５として形成され、前記ボディー１１１の下部の中央貫通孔１１５の内面には内径部螺旋状ガイド溝１１６が形成されている。
【０１２３】
図１３は、本発明の他の実施形態による容器本体とリップスティック収容部との結合状態を示す分解図であって、図１３に示すように、中央貫通孔１１５内にはリップスティックが収容された状態で昇降するリップスティック収容部１５０が設けられる。
【０１２４】
このとき、前記リップスティック収容部１５０は、円柱１１３側の上部の中央貫通孔１１５内に挿入される円筒状の収容体１５１が形成され、前記収容体１５１の底面に延長して、ボディー１１１側の下部の中央貫通孔１１５に結合されるスライド柱１５２が形成され、前記スライド柱１５２の端部の縁部には、内径部螺旋状ガイド溝１１６に結合されるガイド突起１５３が突設されている。
【０１２５】
図１２及び図１３に示す本発明の他の実施形態によるリップスティック容器には、図１ないし図１１に示す本発明の一実施形態によるリップスティックの容器カバー１２０、カバーホルダー１３０、開閉ドア１４０の構成を同様に適用することができる。
【０１２６】
したがって、これらについての構成及び作用の説明は省略し、容器本体１１０、リップスティック収容部１５０、カバーホルダー１３０、回転防止手段１６０の構成及び結合関係について詳細に説明する。
【０１２７】
前記のような本発明の他の実施形態は、回転防止手段１６０の構成によって多様な変形が可能である。
【０１２８】
ここで、回転防止手段１６０の役割は、容器本体１１０の中央貫通孔１１５内に設けられたリップスティック収容部１５０にカバーホルダー１３０の回転力を伝達するとともに、リップスティック収容部１５０がカバーホルダー１３０と逆方向に昇降するようにガイドする役割を行う。
【０１２９】
まず、図１３に示すように、リップスティック収容部１５０の上端の縁部に回転防止手段１６０を形成することができるが、前記回転防止手段１６０は、リップスティック収容部１５０の上端の縁部に水平方向に突起構造物または枠部を延設することができる。
【０１３０】
図１４は、本発明の他の実施形態によるリップスティック収容部の上端にスライド突起を形成し、スライド突起と結合される突起案内溝をカバーホルダーの内壁に形成して回転を防止する例を示す分解斜視図である。
【０１３１】
図１４に示す回転防止手段１６０は、リップスティック収容部１５０の管体１６１の上端の縁部に突出するようにスライド突起１５５を形成し、前記スライド突起１５５が結合されて垂直方向にガイドされる突起案内溝１３３をカバーホルダー１３０の内面に形成して、これらの結合によって形成されることができる。
【０１３２】
図１５は、本発明の他の実施形態によるリップスティック収容部の上端に四角形の枠を形成し、カバーホルダーと結合して回転を防止した例を示す分解斜視図である。
【０１３３】
図１５に示す回転防止手段１６０は、リップスティック収容部１５０の管体１６１の上端の縁部に四角板状の枠部を形成し、前記枠部がカバーホルダー１３０の内面に結合されて回転を防止する構成を有することができる。
【０１３４】
図１６は、本発明の他の実施形態によるリップスティック収容部が回転防止手段内に挿入された例を示す断面図である。
【０１３５】
図１６に示す回転防止手段１６０は、中央貫通孔１１５内に挿入される管体１６１を備え、管体１６１の上端にカバーホルダー１３０の内面と結合されて回転力を伝達される固定端１６３が形成され、管体１６１の内壁には垂直方向にスライド溝１６５が形成される。
【０１３６】
このとき、前記管体１６１の内部にはリップスティック収容部１５０が収容されるが、リップスティック収容部１５０の収容体１５１の側面にはスライド溝１６５と結合されるレール状のスライド突起１５５を形成する。
【０１３７】
前記管体１６１の底部は、リップスティック収容部１５０のスライド柱１５２が貫通しており、前記スライド柱１５２は、図１３に示す下側内径部螺旋状ガイド溝１１６に螺合される。
【０１３８】
このとき、前記スライド柱１５２の下端には、螺合のためのガイド突起１５３が形成される。
【０１３９】
図１７は、本発明の他の実施形態による容器本体の円柱の外径にスクリュー突起を形成し、カバーホルダーの内面にスクリュー案内溝が形成された結合状態を示す分解斜視図である。
【０１４０】
図１７に示す本発明は、容器本体１１０に形成される円柱１１３の外径にホルダー内径スクリュー突起１１７を形成し、前記ホルダー内径スクリュー突起１１７が螺合されるためのホルダー内径スクリュー案内溝１３５をカバーホルダー１３０の内面に形成することができる。
【０１４１】
このような結合構造は、図１ないし図１６に示す本発明の一実施形態または他の実施形態に適用されることができる。
【０１４２】
前記のような本発明は、ユーザの便宜を図るために、容器本体１１０と容器カバー１２０の高さが類似しているか、または容器本体１１０を容器カバー１２０よりやや高く形成することにより、容易に片手で握って使用することができる。
【０１４３】
すなわち、本発明は、手の平を利用して容器本体１１０を容易に取り囲むことができ、この状態で母指などを利用して容器カバー１２０を回転させることにより、リップスティック収容部１５０及びリップスティックを突出させて容易に化粧をすることができる。
【０１４４】
図１８は、本発明の他の実施形態による容器本体とリップスティック収容部との間にシリンダー部材を設けた例を示す結合断面図である。
【０１４５】
図１８に示す本発明によるリップスティック容器は、上部の中央貫通孔１１５の内径に螺旋状のガイド溝が形成され、前記リップスティック収容部１５０との間には螺旋状のガイド溝に沿って昇降するシリンダー部材１７０が設けられ、前記シリンダー部材１７０の内部で垂直方向に昇降するリップスティック収容部１５０を設けることができる。
【０１４６】
このとき、前記シリンダー部材１７０は管状に製作されて、リップスティック収容部１５０が昇降する前に中央貫通孔１１５の最上部に１次昇降して容器カバー１２０の入口１２１に突出した後、リップスティック収容部１５０がシリンダー部材１７０の上部に２次昇降してリップスティックが突出する。
【０１４７】
これは、リップスティックが開閉ドア１４０により干渉される問題を遮断するためのことである。
【０１４８】
そして、前記の本発明は、容器本体１１０の上部の中央貫通孔１１５の内径に螺旋状のガイド溝（図示せず）が形成され、前記螺旋状のガイド溝とカバーホルダー１３０とが螺合されて昇降作動するようにすることができる。これは、カバーホルダー１３０が中央貫通孔１１５の内部空間を利用して移動することにより、移動区間の最下端の地点及び最上端の地点を下げ得るようになって、容器カバー１２０の上部空間を最大限に確保することができるという利点がある。
【０１４９】
図１９ないし図２２は、本発明によるワンハンド・リップスティック容器の容器カバーの変形例を示す斜視図であって、図１９ないし図２２は容器カバー１２０の形状のみを示しているが、容器本体１１０の形状も同一に適用される。
【０１５０】
前記容器カバー１２０の外側の形状をＮ個の直線または曲線状の面で形成することができる。このとき、Ｎは、３ないし無限の数字であり、無限に属する形状は円形であることができる。また、前記容器本体１１０と容器カバー１２０の内部は四角形に形成することが好ましい。
【０１５１】
そして、前記容器カバー１２０の上部に形成される入口１２１の形状がリップスティックの断面の形状とは異なって形成することが可能である。すなわち、リップスティックの断面が円形である場合、入口１２１の形状は多角形などに形成することができる。
【０１５２】
図２３は、本発明のさらに他の実施形態によるワンハンド・リップスティック容器の分解斜視図である。
【０１５３】
図２３に示すように、さらに他の実施形態によるワンハンド・リップスティック容器は、ボディー１１１の中央に円柱１１３が立てられており、前記円柱１１３の中心を貫通する中央貫通孔１１５を形成する容器本体１１０と、前記容器本体１１０の上部に回転可能な状態で結合され、上面の開口した入口１２１を形成する容器カバー１２０と、前記容器カバー１２０の内部で容器本体１１０の円柱１１３の外径と螺合され、容器カバー１２０の回転力を受けて垂直方向に昇降作動するカバーホルダー１３０と、前記カバーホルダー１３０の上端を開閉できるようにヒンジ結合され、カバーホルダー１３０の下降時に通路を開放し、昇降時に通路を閉鎖する開閉ドア１４０と、前記カバーホルダー１３０の内部で容器本体１１０の中央貫通孔１１５の内径と螺合され、カバーホルダー１３０の回転力を受けて垂直方向に昇降作動するが、カバーホルダー１３０の昇降方向と逆方向に昇降作動するリップスティック収容部１５０と、前記リップスティック収容部１５０にカバーホルダー１３０の回転力を伝達するとともに、リップスティック収容部１５０がカバーホルダー１３０の昇降方向と逆方向に昇降作動するように垂直ガイドする回転防止手段１６０と、を備える。
【０１５４】
ここで、前記リップスティック収容部１５０と中央貫通孔１１５との間には、リップスティック収容部１５０が中央貫通孔１１５とともに回転することを防止し、容器カバー１２０とともに回転させる回転防止手段１６０を設けるが、前記回転防止手段１６０は、リップスティック収容部１５０と中央貫通孔１１５との間に挿入される管体１６１が形成され、前記管体１６１の上端で拡管されて容器カバー１２０と結合される固定端１６３が形成され、前記固定端１６３の一側壁を垂直方向に切開してカバーホルダー１３０を結合する昇降ガイド部１６４が形成され、前記管体１６１の側面の垂直方向にリップスティック収容部１５０に形成されたガイド突起１５３が貫通した状態で垂直方向への移動がガイドされるスライド溝１６５が形成されることができる。
【０１５５】
また、前記固定端１６３の昇降ガイド部１６４に結合されるカバーホルダー１３０は、板状の本体が形成され、前記本体の下端の内壁には容器本体１１０の円柱１１３に形成された外径部螺旋状ガイド溝１１４と結合される外径部回転結合突起１３１が内側へ突設され、前記本体の上端に開閉ドア１４０の一端がヒンジ結合されることができる。
【０１５６】
また、前記カバーホルダー１３０が昇降ガイド部１６４に沿って垂直方向に昇降するとき、前記カバーホルダー１３０の上端にヒンジ結合された開閉ドア１４０を連動させるが、前記開閉ドア１４０は、カバーホルダー１３０の下降時に容器カバー１２０の入口１２１を開放させ、カバーホルダー１３０の昇降時に容器カバー１３０の入口１２１を遮断させる動線を有するドア案内溝１６２が固定端１６３の内壁に形成されることができる。
【０１５７】
このとき、前記カバーホルダー１３０と開閉ドア１４０とのヒンジ結合部に常に閉鎖可能な状態を維持させるスプリング部材が挿入され、カバーホルダー１３０の下降時に開閉ドア１４０の下側の表面と回転防止手段１６０の固定端１６３の表面が干渉される状態で開放される。
【０１５８】
また、前記リップスティック収容部１５０の外側の同心円上にシリンダー部材１７０が管結合され、前記シリンダー部材１７０とリップスティック収容部１５０の下端がそれぞれ円柱１１３の内径部螺旋状ガイド溝１１６と螺合されるが、前記シリンダー部材１７０は、リップスティック収容部１５０より上部の位置で螺合されて、容器カバー１２０の回転時にリップスティック収容部１５０に先立って昇降して先に昇降することが制限され、その後、リップスティック収容部１５０は昇降し続けて、上部の先端をシリンダー部材１７０の上部の先端の上側に突出させることができる。
【０１５９】
また、前記円柱１１３の内径に形成される内径部螺旋状ガイド溝１１６は、ピッチが不規則であり、高さの変化のない水平区間を有することができる。
【０１６０】
そして、前記開閉ドア１４０は、薄いプラスチックで形成され、ガイドの形状に沿って曲がりつつ容器カバー１２０の入口１２１を開閉することも可能である。
【０１６１】
前記のような本発明のリップスティック容器を構成する容器本体１１０及び容器カバー１２０を合成樹脂または金属、セラミックスで製造することが可能であるが、アルミニウムなどの金属材質を利用して製作する場合、特有の金属光沢及び材質感による製品の高級化が可能であるという利点がある。
【０１６２】
特に、金属を利用する場合、部品の厚さを薄く形成することができるため、製品の全体としてのサイズを小さく製作することが可能であり、これは製品のイメージにさらに洗練味を与えることができる。
【０１６３】
前記のような構成による本発明は、片手を利用してリップスティック容器を使用することができるため、使用が簡単であり、美感に優れているという利点がある。
【０１６４】
また、すべての部品が容器カバーと容器本体の内部に組み立てられており、これらの部品が外部に突出しないため、既存のリップスティック容器の外観と同一に製作することにより高級なデザインが可能であり、既存のリップスティックと同様に、容器の本体を回転させて使用することにより、ユーザが拒否感を感じることなく、親しく使用することができるという利点がある。
【０１６５】
また、本発明は、リップスティック容器を片手で握ったまますべての動作を行うように容器本体の高さを最適化させて製作することによって、容器本体を手の平が取り囲み、容器カバーは指を利用して容易に回転操作することができるため、使用が便利であるという利点がある。
【図１】
2013505053.tif 000003
【図２】
2013505053.tif 000004
【図３】
2013505053.tif 000005
【図４】
2013505053.tif 000006
【図５】
2013505053.tif 000007
【図６】
2013505053.tif 000008
【図７】
2013505053.tif 000009
【図８】
2013505053.tif 000010
【図９】
2013505053.tif 000011
【図１０】
2013505053.tif 000012
【図１１】
2013505053.tif 000013
【図１２】
2013505053.tif 000014
【図１３】
2013505053.tif 000015
【図１４】
2013505053.tif 000016
【図１５】
2013505053.tif 000017
【図１６】
2013505053.tif 000018
【図１７】
2013505053.tif 000019
【図１８】
2013505053.tif 000020
【図１９】
2013505053.tif 000021
【図２０】
2013505053.tif 000022
【図２１】
2013505053.tif 000023
【図２２】
2013505053.tif 000024
【図２３】
2013505053.tif 000025
【国際調査報告】
2013505053.tif 000026
2013505053.tif 000027
2013505053.tif 000028
2013505053.tif 000029